(57)【要約】【課題】  特に付帯型バルコニーにおいてバルコニー床面の水が軒裏側に回り込むのをほぼ完全に防止できるようにした、乾式構造の防水構造を提供する。【解決手段】防水パン(13)等の防水床の側壁部(15)と、その上方の防水カバー(17)(65)の裏面との間に水密材(44)が設けられ、更に、防水カバー(17)(65)の前面部(41)(63)と側壁部(15)内面との間の隙間を、ひれ状のパッキン(45)で塞ぐ。【選択図】  図３
2005213949.tif 000002
【特許請求の範囲】
【請求項１】
防水パン等の防水床の側壁部上方からその外側を覆うようにして、防水カバーが設けられるとともに、その防水カバー裏面と前記側壁部上端との間に水密材が設けられ、更に、防水カバーの前記防水床側の端部より下向きに突出した前面部と側壁部内面との間の隙間を、前面部又は側壁部の一方より突出させたパッキンで塞いでなることを特徴とするバルコニー等の外部床の防水構造。
【請求項２】
前記側壁部の上端を内側へ折曲げて水返し片として、この水返し片の上面との間に前記水密材を介在させた請求項１記載のバルコニー等の外部床の防水構造。
【請求項３】
前記水密材が発泡樹脂その他の軟質の樹脂からなる請求項１又は２記載のバルコニー等の外部床の防水構造。
【請求項４】
前記水密材が防水カバーの裏面へ予め接着されている請求項１から３の何れかに記載のバルコニー等の外部床の防水構造。
【請求項５】
前記パッキンがひれ状であり、その先端が前記側壁部の内面へ当接されている請求項１から４の何れかに記載したバルコニー等の外部床の防水構造。
【請求項６】
前記パッキンの根元部が前記の前面部へ取り付けられている請求項１から５の何れかに記載のバルコニー等の外部床の防水構造。
【請求項７】
前記パッキンの根元部が前記前面部の溝へはめ込んで取り付けられている請求項６記載のバルコニー等の外部床の防水構造。
【請求項８】
前記防水カバーの前面部とは反対側が、建物本体の外壁面へ取り付けられて、前記側壁部と外壁面との隙間を覆うものである請求項１から７の何れかに記載のバルコニー等の外部床の防水構造。
【請求項９】
前記防水カバーが、建物本体の外壁に接していないバルコニー手摺りなどの手摺り側に設けられたカバーである請求項１から８の何れかに記載のバルコニー等の外部床の防水構造。
【発明の詳細な説明】
【技術分野】
【０００１】
この発明は、建物本体の外側に張り出して設けられるバルコニー等の外部床の防水構造に関するものである。
【背景技術】
【０００２】
バルコニー等の外部床の構造としては、建物本体の外壁と一体となった本体型のものと、建物本体とは別体で、腕木などによって、建物本体に付帯的に取り付けられる付帯型のものとがある。
【０００３】
一般的に、建物一体型のものでは、バルコニーと外壁との間は隙間無く施工され、大量の雨や清掃の際の水の使用によって、バルコニーの床面から水が溢れるようになっても、壁際から軒裏に漏れ出ることはない。
【０００４】
しかしながら、付帯型の構造ではバルコニー等の外部の床と建物本体の外壁面とは構造的に切り離されているから、この部分の隙間から水が漏れることになる。また、付帯型バルコニーの水漏れの問題は壁際のみならず、手摺り側においても、防水床の外側に同様の隙間がある場合に生じる。
【０００５】
このような漏水を防ぐ手段としては、湿式シール材を充填するなどによってその隙間を完全に塞ぐことが考えられるが、かかる湿式工法によると、現場作業が繁雑となってコストが増大し、付帯型の優位性が薄れてしまう。このため、付帯型のバルコニーでは、壁際から雨水が漏れるのは場合によっては已むを得ないこととして、許容しているのが現状である。しかし、居住者の立場からは必ずしも理解できるものとは言い難く、乾式構造による優れた防水施工が求められている。
【０００６】
このような乾式工法による防水施工の例としては、下記の特許文献１，２で示すように、防水鋼板からなる防水パンの壁側の側壁部と建物本体との隙間を、建物本体の外壁から突出させた水切りカバーで覆うとともに、その水切りカバーの裏面と前記側壁部上端との間に防水パッキンを設けて、その水切りカバーの裏面からも雨水が回り込まないようにすることが考えられている。
【０００７】
【特許文献１】特開２００２ー１０６０５９号公報
【特許文献２】特開２００２−１９４８５９号公報
【発明の開示】
【発明が解決しようとする課題】
【０００８】
上記特許文献に記載された発明は、水切りカバーで上方からの侵入を防ぎながら、なお且つ、そのカバーの裏面側の防水パッキンによって、裏面側の隙間からの水漏れをも防止しようというものである。
【０００９】
しかしながら、水切りカバーの裏面と防水パンとの間は一重のパッキンで防水しているだけであり、このため、この裏面部分に大量の水が押し寄せた際に、パッキンの隙間からの水漏れを充分に防止できるとは言い難く、必ずしも完全な防水とは言い難い欠点がある。
【００１０】
この発明は、このような従来の欠点に鑑みて、特に付帯型バルコニーにおいて床面の水が建物本体などとの隙間から軒裏側に回り込むのをほぼ完全に防止できるようにした、乾式構造の防水構造を提供することを目的とする。
【課題を解決するための手段】
【００１１】
上記の課題を解決するため、この発明では、 防水パン等の防水床の側壁部上方からその外側を覆うようにして、防水カバーが設けられるとともに、その防水カバー裏面と前記側壁部上端との間に水密材が設けられ、更に、防水カバーの前記防水床側の端部より下向きに突出した前面部と側壁部内面との間の隙間を、前面部又は側壁部の一方より突出させたパッキンで塞いでなることを特徴とするものである。
【００１２】
その際、請求項２では、側壁部の上端を内側へ折曲げて水返し片として、この水返し片の上面との間に前記水密材を介在させるものであり、この水返片によって下方からの水が上昇するのを防ぐことが出来る。
【００１３】
請求項３の発明では、前記水密材が発泡樹脂その他の軟質の樹脂からなるものであり、請求項４では、水密材を、防水カバーの裏面へ予め接着するものであって、これにより施工が容易となるものである。
【００１４】
請求項５では、前記パッキンがひれ状であり、その先端が前記側壁部の内面へ当接されているものが提供される。
【００１５】
請求項６では、前記パッキンの根元部が前記の前面部へ取り付けられているものであり、こにより防水カバーの取付と同時にパッキンも施工される。請求項７では、そのパッキンの根元部が前記前面部の溝へはめ込んで取り付けるものが提供される
請求項８の発明では、前記防水カバーの前面部とは反対側が、建物本体の外壁面へ取り付けられて、前記側壁部と外壁面との隙間を覆うものであり、特にこの部分に隙間を有する付帯型のものに有効である。
【００１６】
請求項９の発明では、前記防水カバーが、建物本体の外壁に接していないバルコニー手摺りなどの手摺り側に設けられたカバーであるものが提供される。
【発明の効果】
【００１７】
この発明によれば、まず、防水カバーを設けているから、防水カバーによって防水パンの側壁の外側の隙間に上方から水が入るのを防止できる。更に、防水カバーと側壁部との間は、ひれ状パッキンと伸縮性の水密材との二重の防水構造となっているから、防水パンに溜まる等した水が防水カバーの裏側から前記の軒裏側に回り込むのを防止できる。
【００１８】
この発明の防水構造は、ひれ状パッキンと水密材による乾式工法で施工されるものであり、湿式工法に比べて低コストに施工でき、特に付帯型のものにおいて、その付帯型のメリットを損なうことがない。
【００１９】
請求項２の発明では、防水パンの側壁部上端に内側へ突出する水返し片を設け、この水返し片によって水の上方への移動を防止できるのみならず、その水返し片との間で伸縮性水密材を圧縮保持することにより、安定して水密材を保持できる。
【００２０】
また、請求項４、６、７のように、それら水密材とひれ状パッキンの両方若しくは少なくと一方は防水カバーなどへ予め取り付けておくことで、施工がより容易となる。
【００２１】
請求項８の発明では、付帯型バルコニーの壁際において、外壁面と防水パンの側壁部との隙間を防水カバーで上方から塞ぎながら、更にこの防水カバー裏面からの水漏れを防止できる。
【００２２】
請求項９の発明では、同様に手摺り側においても、側壁部外側の隙間を防水カバーで塞ぎながら、ひれ状パッキンと水密材とで、その防水カバー裏面側から水が漏れ出るのを防止できる効果がある。
【発明を実施するための最良の形態】
【００２３】
図１は、付帯型バルコニーの概略構造を示す分解斜視図であって、建物本体(１)の入隅コーナーの部分を示している。(２)は、建物本体(１)の梁であり、図のようなＨ形鋼からなるものである。(３)(４)は、梁(2)の外側に取り付けられた上下一対の外壁パネルである。
【００２４】
(６)は、バルコニー床フレームであり、一つの具体例として、この図のように、建物本体(１)外壁面と平行な一対の横フレーム(７)(８)と、それら横フレーム(７)(８)間に、互いに間隔を置いて渡された複数本の桟材(９)(９)…とからなる。互いに平行な横フレーム(７)(８)はいずれもリップ溝形鋼からなり、建物本体(１)側の横フレーム(７)は、図２のようにその溝部(10)が外向きとなるように、他方の横フレーム(８)は溝部(10)が内向きとなるようにして配置されている。それら横フレーム(７)(８)間に多数配置される桟材(９)(９)は、リップ無しの溝形鋼で構成されている。
【００２５】
バルコニーの施工に際しては、先ず、この床フレーム(６)が建物本体(１)へ、外壁パネル(３)(４)の外側に張り出すようにして固定される。その取付け構造は図示していないが、例えば、建物本体(１)の骨組から、外壁の図示されていない縦目地部等を通して突出させた腕木などを用いて固定される。
【００２６】
床フレーム(６)の上面には下地板(12)が、床フレーム(６)の取付前若しくは取付後に設置して固定される。この下地板(12)には、望ましくは所定厚の合板が用いられる。
【００２７】
また、外壁パネル(３)(４)側に面していない側の横フレーム(８)には、その外側面に手摺り支柱(５)の下端プレート(11)が固定されて、その手摺り支柱(５)が上方へ突出して設けられる
(13)は、望ましくは鋼板製の防水パンであり、下地板(12)の上面に設置されるものであって、四辺形の底部(14)の４辺の外周には、側壁(15)が立ち上がっている。
【００２８】
(16)は、防水パン(13)の側壁(15)の外側へ重なるようにして設置される立上がり支持壁を示している。(17)は、それら側壁(15)及び立ち上がり支持壁(16)からなる壁側防水壁と建物本体の外壁面(19)との間の隙間(20)（図３）を、上方から覆う防水カバーである。次に、その壁際の防水構造の詳細を、図２及び図３に基づいて説明する。
【００２９】
立ち上がり支持壁(16)は、基本的に、垂直部(21)と、その垂直部(21)の下端の下部水平部(22)とからなる概略断面Ｌ字状であって、垂直部(21)の上端から前記下部水平部(22)とは反対方向に突出した上部支持片(23)を備えている。
【００３０】
下部水平部(22)は、その上面の幅方向の中央部に、長手方向に沿った凹部(22ａ)を形成するような折れ曲がった断面形状である。立ち上がり支持壁(16)は、この凹部(22ａ)部分へ上方から差し込んだビス等の固定具(24)により、前記下地板(12)の建物本体(１)側の端部上面へ、その端部に沿って固定される。このとき、上部支持片(23)が壁側となり、下部水平部(22)がその反対側となる。
【００３１】
防水パン(13)は、この立ち上がり支持壁(16)の取付け後に、その下部水平部(22)を覆うようにして設置される。なお、防水パン(13)の底部(14)の裏側に発泡樹脂などからなる断熱材(25)が設けられている。図１では防水パン(13)全体を一体ものとして示しているが、複数のユニットに分割して形成される場合もある。
【００３２】
上記立ち上がり支持壁(16)と防水パン(13)とを取り付けた状態では、防水パン(13)の側壁(15)の外側の面に、支持壁(16)の垂直部(21)が重なるように接している。また、防水パン(13)の側壁(15)の上端は、図のように内側（バルコニー床の中央側）へ向けて折曲げる等により、内方へ突出する水返し片(26)が設けられている。この水返し片(26)の上面と立ち上がり支持壁(16)の上部支持片(23)の上面との間には、上部支持片(23)側が高くなるような段差がある。
【００３３】
立ち上がり支持壁(16)の垂直部(21)には、更に、外壁面(19)との対面側の面の下端部近傍に、水平方向に沿った樋(29)を一体に形成している。この樋(29)は、その垂直部(21)の面から鈎状に突出した部分(28)を一体に形成することで、その垂直部(21)の面との間で上方に向かって解放された溝状となっている。
【００３４】
図３のように、建物本体(１)の外壁部には、前記垂直部(21)の上端よりも少し低いところで、外壁パネル(３)(４)間の横目地部(18)が位置している。前記樋(29)は、更にこの横目地部(18)の下方に位置している。
【００３５】
(31)は、外壁パネル(３)(４)の内側から前記の横目地部(18)を通って、外壁面(19)側に突出するように設けられた水平水切材である。この外壁の水平水切材(31)の外側の先端が下向きに折り曲げられ、この折曲げられた先端部(32)の下方に前記樋(29)が位置している。なお、(33)は、平水切材(31)の下面より下方に突出させたカバー片である。
【００３６】
上記において、立ち上がり支持壁(16)は、望ましくは、垂直部(21)、下部水平部(22)、上部支持片(23)及び樋(29)が一体となった状態で、アルミニウム等の押出成形等によって一体に形成されるが、これに限られるものでない。
【００３７】
なお、外壁パネル(３)(４)は、外壁面(19)を構成するサイディング材(35)と、そのサイディング材の裏面に取り付けた溝型の枠材(36)からなる。(37)は、梁(2)の上面又は下面に沿って配置された軸組フレームであり、図のようなリップ付き溝形鋼からなり、外壁パネル(３)(４)は、これらの軸組フレーム(37)を介して支持されるものであるが、その詳細は省略する。また、水平水切材(31)は、その内側の端部とカバー片(33)の先端を、梁(2)等へ固定した図３のジョイント金具(30)へ係合して取り付けられるが、その詳細についても省略する。
【００３８】
防水カバー(17)は、その上面が水平であるか又はバルコニー床方向に向かって僅かに下り傾斜した上面部(40)と、その上面部(40)のバルコニー床中央側の先端から下向きに突出した前面部(41)とを備えている。更に、上面部(40)の前面部(４1)側とは反対側の先端には、取付片(42)が上方へ突出して設けられている。その取付片(42)の上端は、上面部(40)と同じ方向へ折曲されて、その折曲片(39)の先端には、断面が垂直なフランジ片(43)が上方に突出して設けられている。
【００３９】
更に、上面部(40)の裏面には、前面部(41)寄りの位置において、伸縮性を備えた水密材(44)が予め接着して設けられている。この伸縮性水密材(44)は、望ましくは、独立又は連続発泡（圧縮されると気泡が潰れて空洞が繋がらないようになるもの）構造の樹脂発泡体からなるものであり、これを所定幅の帯状にして、上面部(40)の裏面へ長手方向に沿って接着している。
【００４０】
他方、前面部(41)の裏面には、その下端近傍位置においてひれ状パッキン(45)が水平方向に突出して設けられている。このひれ状パッキン(45)は、可撓性の大きいゴムその他の軟質材からなるもので、先端に向かって徐々に薄肉となって可撓性を増している。また、前面部(41)側の根元部には、フランジ状の取付部(46)が一体に形成され、前面部(41)の裏面に形成された取付溝(47)へ差し込んで、その前面部(41)のほぼ長手方向全長に亘って取り付けられている。
【００４１】
上記の構成からなる防水カバー(17)は、防水パン(13)の側壁部(15)及び立ち上がり支持壁(16)と外壁面(19)との間の隙間を塞ぐようにして、上方から設置される。そして、取付片(42)の外側から、この取付片(42)を貫通して差し込まれるビス(48)その他の固定具により、上部側の外壁パネル(３)下端の外面に固定される。
【００４２】
このとき、前面部(41)は、側壁部(15)の内側面に対面している。そして、その下端のひれ状パッキン(45)が、立ち上がり支持壁(16)の垂直部(21)へ当接している。その際、ひれ状パッキン(45)は、その先端が上方へ撓んだ状態で弾性的に当接している。
【００４３】
他方、上面部(40)は、図のように、水密材(44)よりも壁側の部分が、垂直部(21)上端の上部支持片(23)の上面へ載置されている。この状態で、水密材(44)は、側壁部(15)上端の水返し片(26)の上面へ強く押し付けられて、圧縮状態に保持され、これにより、側壁部(15)と上面部(40)との隙間を密封している。
【００４４】
なお、取付片(42)の上部側には、その上端の水平折曲片(39)、フランジ片(43)及び外壁面(19)とで形成された溝へ湿式シール材(49)を充填している。
【００４５】
上記の防水構造において、防水パン(13)からなるバルコニー床内に大雨や清掃時の水が溜まって壁側へ溢れた場合でも、防水カバー(17)があることにより、また、その防水カバー(17)と外壁面(19)との間がシール材(49)で密封されていることにより、その防水カバー(17)を乗り越えて軒裏側へ水が漏れ出ることはない。
【００４６】
更に、防水カバー(17)の前面部(41)と側壁部(15)の間から上方へ上がろうとする水は、先ず第１にひれ状パッキン(45)によって阻止される。仮に、大量の水が同時に押し寄せたような場合に、一部がこのひれ状パッキン(45)の先端をすり抜けて、その上部側の隙間(50)内へ入った場合でも、まず、水返し片(26)によって下方へ落下させられる。そして、なおも水返し片(26)の上部側へ回り込んだとしても、水密材(44)が隙間を密封しているので、その裏側へ回り込むことはほぼ完全に阻止される。
【００４７】
上記は、バルコニー床の前記外壁面(19)側の水仕舞いであり、次に、壁に面していない手摺り側の防水構造を説明する。
【００４８】
図４及び図５で示すように、手摺り側においては、防水パン(13)の側壁部(15)の外表面が、床フレーム(６)の横フレーム(８)外側面と略同一面となるような状態で、上方へ立ち上がっている。横フレーム(８)に固定された手摺り支柱(５)の中間部には、前記側壁(15)上端に対応する位置において、側面から見て当Ｌ字形の受プレート(55)が、その水平部(56)の切欠部へ手摺り支柱(５)を嵌合するようにして取り付けられている。この受プレート(55)は、図１で示すように、手摺り支柱(５)に予め取り付けられるものである。
【００４９】
水平部(56)の内側の端部より下向きに突出した垂直部(57)の表面に、前記側壁部(15)の外側面が重ねられて、防水パン(13)の内側よりこの垂直部にネジ込まれた望ましくはパッキン付きのビス(58)によって、側壁部(15)がその垂直部(57)へ止め付けられている。このとき、防水パン(13)上端の水返し片(26)の上面に対し、水平部(56)の上面が僅かに高くなっている。
【００５０】
また、手摺り支柱(５)を挟んだ側壁部(15)とは反対の側には、化粧カバー(60)が取り付けられている。化粧カバー(60)は、床フレーム(６)、側壁部(15)、手摺り支柱(５)の根元部の外側から、横フレーム(８)の下面までを覆っている。化粧カバー(60)は、手摺り支柱(５)の外側面に固定したブラケット(59)のＬ型受け片(59ａ)へ、その裏面の係合溝(61)を上方から係合させて支持されている。
【００５１】
(65)は、壁側に取り付けられる前記の防水カバー(17)に対して、壁に面していない手摺り側に取り付けられる別の防水カバーである。この手摺り側防水カバー(65)は、上面部(62)と、その上面部の一端より下向きに突出した前面部(63)とを備えている。また、前面部(63)とは反対側の端部には、同じく下向きに突出して外部カバー片(64)が一体に形成されている。
【００５２】
上記のように形成された手摺り側防水カバー(65)は、前面部(63)が側壁部(15)の内面に対向し、且つ、外部カバー片(64)が化粧カバー(60)上端の外面に対向するようにして、上方から設置される。これにより、側壁部(15)と化粧カバー(60)との隙間が、この防水カバー(65)によって上方から覆われる。
【００５３】
その際、上面部(62)には、手摺り支柱(５)に対応して、その手摺り支柱(５)が貫通する開口(67)が形成され、手摺り支柱(５)は、この開口(67)を通って上方に立ち上がっている。また、防水カバー(65)は、その上面部(62)を前記の水平部(56)の上面へ固定ボルト(66)などで固定されるが、開口(67)の隙間を塞ぐため水密材付きの別のカバー（図示せず）を設けることもある。
【００５４】
そして、上面部(62)の裏面には、前記側壁部(15)上端の水返し片(26)に対応して、前記と同じ水密材(44)が予め接着して設けられ、前記と同様に、水返し片(26)との間で圧縮されて水密を保っている。また、水密材(44)は、水返し片(26)の先端と前面部(63)との隙間から部分的に圧縮されない部分がはみ出している。
【００５５】
更に、前面部(63)の下端には、同様に、その根元部(46)を前面部(41)裏面の取付溝(47)へ差し込んで取り付けられたひれ状パッキン(45)が突出している。そして、このひれ状パッキン(45)の先端が、上方に撓んだ状態で側壁部(15)の内面へ当接して、前記壁側と同様の二重の防水が施されている。
【００５６】
これにより、防水パン(13)内に溜まった水が、側壁部(15)とその外側の化粧カバー(60)との間の隙間へ漏れ出て、これが天井裏に回り込んで軒下に落下したり、或いは天井内の金属材に錆を発生させるといった不都合を解消できる。
【００５７】
図６で示すように、手摺り支柱(５)(５)…間には、手摺りユニット(68)(68)…が取り付けられ、その上に笠木(69)が設置される。
【産業上の利用可能性】
【００５８】
この発明は、上記実施形態で示したバルコニー床に最適であるが、必ずしもこれに限られるものではなく、ベランダその他建物本体の外側に張り出した他の外部床に適用可能である。また、必ずしも付帯型でなければいけないということではないし、壁側に隙間のない本体型のものでも手摺り側に適用できる場合も考えられる。
【図面の簡単な説明】
【００５９】
【図１】この発明を付帯型バルコニーに実施した場合のバルコニーの概略構造を示す要部の分解斜視図である。
【図２】同じく壁際部の断面の斜視図である。
【図３】同じく壁際部の拡大縦断面図である。
【図４】手摺り側の防水カバーの取付状況を示す要部の斜視図である。
【図５】同じく手摺り側の手摺り支柱根元部の構造を示す拡大縦断面図である。
【図６】バルコニー床全体の手摺りユニット取付前の状態を示す斜視図である。
【符号の説明】
【００６０】
(13)  防水パン
(15)  側壁部
(17)  防水カバー
(26)  水返し片
(41)  前面部
(44)  水密材
(45)  ひれ状パッキン
(47)  取付溝
(62)  上面部
(63)  前面部
(65)  防水カバー
【図１】
2005213949.tif 000003
【図２】
2005213949.tif 000004
【図３】
2005213949.tif 000005
【図４】
2005213949.tif 000006
【図５】
2005213949.tif 000007
【図６】
2005213949.tif 000008